(57)【要約】【課題】収納物との間が狭くても容易に収納物を取り出すことができる収納箱を提供する。【解決手段】収納箱が、底壁と、互いに対面した一対の側壁を含む複数の側壁とで取り囲まれ上方に開口して内部に収納物が収容される箱本体と、上記一対の側壁それぞれの上縁からさらに上方に立ち上がり、側壁の上縁で折り曲げられて上記箱本体の開口を塞ぐ一対の蓋壁とを有し、上記一対の蓋壁と上記一対の側壁に、一対の蓋壁それぞれの上縁から一対の側壁それぞれの、短くとも側壁の下縁に向かう途中にまで延び、上記箱本体に収納されている収納物と上記一対の側壁それぞれとの間に腕を差し入れた際に一対の側壁それぞれが外側に向かって山折りに折れるのを補助する一対の補助線が形成されている。【選択図】        図１
2014091558.tif 000002
【特許請求の範囲】
【請求項１】
底壁と、互いに対面した一対の側壁を含む複数の側壁とで取り囲まれ上方に開口して内部に収納物が収容される箱本体と、
前記一対の側壁それぞれの上縁からさらに上方に立ち上がり、該上縁で折り曲げられて前記箱本体の開口を塞ぐ一対の蓋壁とを有し、
前記一対の蓋壁と前記一対の側壁に、該一対の蓋壁それぞれの上縁から該一対の側壁それぞれの、短くとも該側壁の下縁に向かう途中にまで延び、前記箱本体に収納されている収納物と前記一対の側壁それぞれとの間に腕を差し入れた際に該一対の側壁それぞれが外側に向かって山折りに折れるのを補助する一対の補助線が形成されていることを特徴とする収納箱。
【請求項２】
前記補助線の、前記蓋壁を通過する部分については、切れ目およびミシン目のうちのいずれかであることを特徴とする請求項１記載の収納箱。
【請求項３】
前記補助線が、前記側壁の下縁に向かう途中まで延びた補助線であって、さらに、
前記補助線の下端に繋がり、該下端から該側壁の下縁の両端それぞれにまで延び、該補助線と協同して該側壁の山折りを補助する第２の補助線が形成されていることを特徴とする請求項１又は２記載の収納箱。
【請求項４】
前記補助線が、前記側壁の下縁に向かう途中まで延びた補助線であって、さらに、
前記側壁の、前記補助線の下端よりも下部に、穴、もしくは力が加えられて穴が開く被開部が設けられていることを特徴とする請求項１又は２記載の収納箱。
【発明の詳細な説明】
【技術分野】
【０００１】
本発明は、収納箱に関する。
【背景技術】
【０００２】
収納用の紙製箱の側壁に、力が加えられるとミシン目が破られて開く舌片部を設けることが知られている（例えば、特許文献１参照）。特許文献１では、舌片部は、側壁の下縁を軸にして開く位置に設けられている。作業者は、収納物の取り出しの際にこの舌片部を開き、この舌片部を足で踏んで箱を動かないようにして収納物を引き上げることとなっている。
【先行技術文献】
【特許文献】
【０００３】
【特許文献１】特開２００５−２３９２２２号公報
【発明の概要】
【発明が解決しようとする課題】
【０００４】
本発明は、収納物との間が狭くても容易に収納物を取り出すことができる収納箱を提供することを目的とするものである。
【課題を解決するための手段】
【０００５】
請求項１の収納箱は、
底壁と、互いに対面した一対の側壁を含む複数の側壁とで取り囲まれ上方に開口して内部に収納物が収容される箱本体と、
上記一対の側壁それぞれの上縁からさらに上方に立ち上がり、側壁の上縁で折り曲げられて上記箱本体の開口を塞ぐ一対の蓋壁とを有し、
上記一対の蓋壁と上記一対の側壁に、一対の蓋壁それぞれの上縁から一対の側壁それぞれの、短くとも側壁の下縁に向かう途中にまで延び、上記箱本体に収納されている収納物と上記一対の側壁それぞれとの間に腕を差し入れた際に一対の側壁それぞれが外側に向かって山折りに折れるのを補助する一対の補助線が形成されていることを特徴とする。
【０００６】
請求項２の収納箱は、請求項１の収納箱において、
上記補助線の、上記蓋壁を通過する部分については、切れ目およびミシン目のうちのいずれかであることを特徴とする。
【０００７】
請求項３の収納箱は、請求項１又は２の収納箱において、
上記補助線が、上記側壁の下縁に向かう途中まで延びた補助線であって、さらに、
上記補助線の下端に繋がり、この下端から側壁の下縁の両端それぞれにまで延び、補助線と協同して側壁の山折りを補助する第２の補助線が形成されていることを特徴とする。
【０００８】
請求項４の収納箱は、請求項１又は２の収納箱において、
上記補助線が、上記側壁の下縁に向かう途中まで延びた補助線であって、さらに、
上記側壁の、上記補助線の下端よりも下部に、穴、もしくは力が加えられて穴が開く被開部が設けられていることを特徴とする。
【発明の効果】
【０００９】
請求項１の収納箱によれば、収納物との間が狭くても、上記一対の補助線を備えていない場合と比較して容易に収納物を取り出すことができる。
【００１０】
請求項２の収納箱によれば、請求項１の収納箱において上記蓋壁を通過する部分が折り目等である場合と比較して、収納物と側壁との間に腕を差し入れた際に側壁が山折りに折れ易い。
【００１１】
請求項３の収納箱によれば、請求項１又は２の収納箱において上記補助線が上記側壁の下縁に達するまで延びたものである場合と比較して、収納物と側壁との間に腕を差し入れた際に側壁が山折りに折れ易い。
【００１２】
請求項４の収納箱によれば、請求項１又は２の収納箱の側壁に上記穴もしくは上記被開部が設けられていない場合と比較して、作業者は、収納物の下部の手を掛ける部位を見つけ易い。
【図面の簡単な説明】
【００１３】
【図１】本発明の収納箱の第１実施形態を示す図である。
【図２】補助線の蓋部分が切られ、被開部が開かれた状態の収納箱を示す図である。
【図３】作業者が収納物の外面と収納箱の側壁との間の隙間に腕を差し入れて手掛け部を掴んだ様子を示す図である。
【図４】本発明の収納箱の第２実施形態を示す図である。
【図５】作業者が、収納物の外面と、第２実施形態の収納箱の側壁との間の隙間に腕を差し入れて手掛け部を掴んだ様子を示す図である。
【図６】本発明の収納箱の第３実施形態を示す図である。
【図７】作業者が、収納物の外面と、第３実施形態の収納箱の側壁との間の隙間に腕を差し入れて手掛け部を掴んだ様子を示す図である。
【発明を実施するための形態】
【００１４】
以下図面を参照して本発明の実施の形態を説明する。
【００１５】
図１は、本発明の収納箱の第１実施形態を示す図である。
【００１６】
この図１に示す収納箱１は、段ボール製で直方体形状の箱であって、箱本体１０、一対の第１蓋壁２０、および、一対の第２蓋壁３０を備えている。
【００１７】
箱本体１０は、四角形状の底壁１１と、この底壁１１の各辺から立ち上がった４つの側壁１２とを有し上方に開口１０ａを有している。収納箱１の収納物Ｔは、この開口１０ａから出し入れされる。また、収納物Ｔには、紙面左手前側と右奥側との互いに向き合った一対の側壁１２ａそれぞれに対面する位置に後述の手掛け部が設けられている。収納物Ｔは、作業者によって、この手掛け部を掴まれて出し入れされる。
【００１８】
箱本体１０が本発明にいう箱本体の一例に相当し、底壁１１が本発明にいう底壁の一例に相当し、一対の側壁１２ａが本発明にいう一対の側壁の一例に相当し、一対の第１蓋壁２０が本発明にいう一対の蓋壁の一例に相当する。
【００１９】
第１蓋壁２０は、一対の側壁１２ａそれぞれの上縁からさらに上方に立ち上がり、この上縁で折り曲げ自在に延びている。第１蓋壁２０は、側壁１２ａの上縁で矢印Ａ方向に折り曲げられて、以下に説明する第２蓋壁３０と協同して開口１０ａを塞ぐ蓋を構成する。
【００２０】
第２蓋壁３０は、上記の一対の側壁１２ａ以外のもう一対の側壁１２ｂそれぞれの上縁から、この上縁で折り曲げ自在に延びている。第２蓋壁３０は、上記のように折り曲げられた一対の側壁１２ａを上方から覆うように、側壁１２ｂの上縁で矢印Ｂ方向に折り曲げられて、上記の第１蓋壁２０と協同して開口１０ａを塞ぐ蓋を構成する。
【００２１】
収納物Ｔの取り出しの際には、第１蓋壁２０と第２蓋壁３０が開かれて開口１０ａが開けられる。
【００２２】
ここで、一対の第１蓋壁２０と、第１蓋壁２０に繋がる一対の側壁１２ａには、以下に説明する補助線４０が設けられている。この補助線４０が、本発明にいう補助線の一例に相当する。
【００２３】
補助線４０は、第１蓋壁２０の上縁における、箱本体１０に収納物Ｔが収納された状態で開いて立てたときに上記の手掛け部の上方に位置する箇所２０ａと、側壁１２ａの手掛け部に対面する箇所１２ａ＿１とを結ぶ線上に設けられている。補助線４０は、この線上の、側壁１２ａの下縁に向かう途中まで延びている。補助線４０の、第１蓋壁２０を通過する蓋部分４１はミシン目となっており、側壁１２ａを通過する側壁部分４２は折り目となっている。
【００２４】
さらに、補助線４０が設けられている側壁１２ａには、この補助線４０における側壁部分４２の下端のよりも下部に、力が加えられるとミシン目が破れて穴が開く被開部５０が設けられている。この被開部５０は、側壁１２ａの下縁を軸にして開く。補助線４０の側壁部分４２は、この被開部５０まで延びている。この被開部５０が、本発明にいう被開部の一例に相当する。
【００２５】
収納物Ｔの取り出しの際には、補助線４０の蓋部分４１については、力が加えられてミシン目が破られて切れ目となり、被開部５０については、力が加えられてミシン目が破られて開かれることで穴が開けられる。
【００２６】
図２は、補助線の蓋部分が切られ、被開部が開かれた状態の収納箱を示す図である。
【００２７】
この図２に示すように、補助線４０の蓋部分４１が切られると、一対の第１蓋壁２０それぞれに切れ目が形成され、被開部５０が矢印Ｃ方向に開かれると、一対の側壁１２ａそれぞれに穴５１が開けられる。
【００２８】
ここで、上述したように収納物Ｔには、取出しの際に掴まれる手掛け部Ｔ１が設けられており、被開部５０は、この手掛け部Ｔ１に対面する位置に設けられている。このため、被開部５０が開かれると、側壁１２ａの、この手掛け部Ｔ１に対面する位置に穴５１が開けられることとなる。取出しの際には、作業者は、収納箱１の開口１０ａを上方から見下ろす格好となる。そして、手掛け部Ｔ１に対面する位置に開いた穴５１から光が差し込んで手掛け部Ｔ１の周辺が明るくなり、作業者にとってこの手掛け部Ｔ１の場所が見つけ易くなっている。
【００２９】
また、収納物Ｔは、収納物Ｔの下側の４つの角と収納箱１の内面との間に、発泡スチロール製の詰め物Ｓが挟まれた状態で収納されており、収納物Ｔの外面と収納箱１の内面との間には、この詰め物Ｓの厚み分だけ隙間が開いている。取出しの際には、作業者は、手掛け部Ｔ１を掴むべく、収納物Ｔの、手掛け部Ｔ１が設けられている側面と、収納箱１の側壁１２ａとの間の隙間に腕を差し入れる。尚、詰め物Ｓの厚みは、作業者の腕の太さより薄い厚みとなっており、作業者が腕を差し入れる隙間は、作業者の腕の太さより狭くなっている。
【００３０】
図３は、作業者が収納物の外面と収納箱の側壁との間の隙間に腕を差し入れて手掛け部を掴んだ様子を示す図である。
【００３１】
上述したように、取出しの際に作業者が腕を差し入れる、収納物Ｔの側面と収納箱１の側壁１２ａとの間の隙間は、作業者の腕の太さより狭くなっている。
【００３２】
ここで、取出しの際には、収納箱１のこの側壁１２ａに繋がる第１蓋壁２０における補助線４０（図２参照）の蓋部分４１が切られて切れ目になっている。そして、収納箱１のこの側壁１２ａには、補助線４０の側壁部分４２としての折り目が、被開部５０が開かれて開いた穴５１まで延びている。
【００３３】
そして、作業者が上記の隙間に腕を差し入れると、収納箱１の側壁１２ａは、この腕に内側から押されて、側壁部分４２の折り目に沿って、矢印Ｄ方向、即ち箱本体１０の外側に向かって山折りに折れる。尚、上記の穴５１は、側壁１２ａが山折りに折れる際に変形することで、側壁１２ａの山折りを助ける働きも担っている。また、側壁１２ａが山折りに折れるのに伴って、第１蓋壁２０の蓋部分４１の切れ目が矢印Ｅ方向に開く。その結果、元々は上記のように狭かった収納物Ｔの側面と収納箱１の側壁１２ａとの間の隙間が広がって、手掛け部Ｔ１を掴める位置まで深く腕を差し入れるための空間が確保される。そして、作業者は、この確保された空間に腕を深く差し入れて手掛け部Ｔ１を掴み、収納物Ｔを収納箱１から取り出すこととなる。
【００３４】
次に、第２実施形態について説明する。
【００３５】
この第２実施形態は、収納箱の、上述した第１実施形態における第１蓋壁２０に繋がった側壁１２ａと同等な側壁に、後述する第２の補助線が設けられている点が、上述した第１実施形態と異なっている。以下、この第２実施形態について、第１実施形態との相違点に注目して説明を行う。
【００３６】
図４は、本発明の収納箱の第２実施形態を示す図である。
【００３７】
尚、この図４では、図１に示す第１実施形態の収納箱１の構成要素と同等な構成要素については図１の符号と同じ符号が付されており、以下ではこの同等な構成要素についての重複説明を省略する。この点は、後で参照する図５についても同様である。
【００３８】
この図４に示す収納箱２では、補助線４０’における、第１蓋壁２０が繋がっている側壁１２ａを通過する側壁部分４２’は、被開部５０の上方で、かつこの被開部５０から離れた位置で終了している。そして、この側壁部分４２’の下端から、この側壁１２ａの下縁の両端それぞれまで、２本の第２の補助線６０が延びている。この第２の補助線６０は、側壁部分４２’の下端から側壁１２ａの下縁の両端それぞれまで延びた折り目となっている。補助線４０’も、本発明にいう補助線の一例に相当している。また、第２の補助線６０が本発明にいう第２の補助線の一例に相当する。
【００３９】
図５は、作業者が、収納物の外面と、第２実施形態の収納箱の側壁との間の隙間に腕を差し入れて手掛け部を掴んだ様子を示す図である。
【００４０】
上述の第１実施形態と同様に、作業者が両腕を開口１０ａから差し入れた際には、側壁１２ａは、内側から押されて補助線４０’の側壁部分４２’に沿って矢印Ｄ方向に山折りに折れる。そして、第２の補助線６０は、側壁１２ａがこの第２の補助線６０に沿っても山折りに折れることで、側壁部分４２’に沿った側壁１２ａの山折りを助ける働きを担っている。
【００４１】
従って、この第２の補助線６０を有している収納箱２によれば、この収納箱２において仮に側壁１２ａに第２の補助線６０が設けられていない場合と比較して、側壁１２ａが山折りに折れ易くなっている。
【００４２】
次に、第３実施形態について説明する。
【００４３】
この第３実施形態は、補助線の、上述した第１実施形態における第１蓋壁２０と同等な蓋壁を通過する部分が、この第１実施形態における補助線４０の蓋部分４１と異なっている。以下、この第３実施形態について、第１実施形態との相違点に注目して説明を行う。
【００４４】
図６は、本発明の収納箱の第３実施形態を示す図である。
【００４５】
尚、この図６では、図１に示す第１実施形態の収納箱１の構成要素と同等な構成要素については図１の符号と同じ符号が付されており、以下ではこの同等な構成要素についての重複説明を省略する。この点は、後で参照する図７についても同様である。
【００４６】
この図６の収納箱３では、補助線４０”の、第１蓋壁２０を通過する蓋部分４１’が折り目となっている。この補助線４０”も、本発明にいう補助線の一例に相当している。
【００４７】
この収納箱３でも、上述した第１実施形態および第２実施形態と同様に、作業者は、収納物Ｔを開口１０ａから取り出す際には、収納物Ｔの外面と、収納箱３の側壁１２ａとの間の隙間に腕を差し入れて手掛け部を掴む。ただし、この収納箱３では、このように手掛け部を掴んでの収納物Ｔの取出しが、以下に説明するように一対の第１蓋壁２０を立てた状態で行われる。
【００４８】
図７は、作業者が、収納物の外面と、第３実施形態の収納箱の側壁との間の隙間に腕を差し入れて手掛け部を掴んだ様子を示す図である。
【００４９】
この図７に示すように、収納箱３では、作業者は、一対の第１蓋壁２０を立てた状態で、収納物Ｔの外面と、収納箱３の側壁１２ａとの間の隙間に腕を差し入れる。そして、作業者がこのように腕を差し入れたときには、第１蓋壁２０が、補助線４０”の蓋部分４１’に沿って、側壁１２ａと一緒に矢印Ｄ方向に山折りに折れる。
【００５０】
この収納箱３でも、上述した第１実施形態の収納箱１および第２実施形態の収納箱２と同様に、収納物Ｔの側面と収納箱１の側壁１２ａとの間の隙間が広がって、作業者が手掛け部を掴める位置まで深く腕を差し入れるための空間が確保される。
【００５１】
尚、以上に説明した第１〜第３実施形態では、本発明の収納箱の一実施形態として、補助線としてミシン目が設けられた蓋壁を備えた形態や、補助線として折れ目が設けられた蓋壁を備えた形態が例示されている。しかしながら、本発明の収納箱はこれに限るものではなく、補助線として切れ目が設けられた蓋壁を備えた形態であっても良い。
【００５２】
また、第１〜第３実施形態では、本発明の収納箱の一実施形態として、側壁に、上記の補助線の下端よりも下部に、力が加えられるとミシン目が破れて穴が開く被開部が設けられた形態が例示されている。しかしながら、本発明の収納箱はこれに限るものではなく、例えば側壁に初めから穴が設けられた形態であっても良い。あるいは、穴も被開部も設けられていない形態であっても良い。
【００５３】
また、第１〜第３実施形態では、本発明の収納箱の一実施形態として、側壁に設けられた補助線が、側壁の下縁に向かう途中にまで延び、その補助線の下端に上記の被開部が設けられた形態が例示されている。しかしながら、本発明の収納箱はこれに限るものではなく、例えば側壁には穴も被開部も設けられておらず、さらに補助線が側壁の下縁に達するまで延びた形態であっても良い。
【００５４】
また、第１〜第３実施形態では、本発明の収納箱の一実施形態として段ボール製の箱が例示されている。しかしながら、本発明の収納箱はこれに限るものではなく、例えば段ボール以外の紙製の箱であっても良く、あるいは、上述した山折り等が可能な程度に薄いプラスチック板で形成された箱等であっても良い。
【００５５】
また、第１〜第３実施形態では、本発明の収納箱の一実施形態として四角形の底壁を有する直方体形状の箱が例示されている。しかしながら、本発明の収納箱はこれに限るものではない。本発明の収納箱は、例えば、上記の直方体形状における、四角形の底壁の４つの角に相当する部分が面取りされた８角柱形状の箱など、互いに対面する一対の側壁を有する、直方体以外の多角柱形状の箱であっても良い。あるいは、本発明の収納箱は、互いに対面する一対の側壁を有していれば、このような多角柱形状に限るものでもない。本発明の収納箱は、例えば、一対の側壁以外の側壁が曲面状の壁となった箱であっても良い。
【符号の説明】
【００５６】
１，２，３    収納箱
１０    箱本体
１０ａ    開口
１１    底壁
１２，１２ａ，１２ｂ    側壁
１２ａ＿１，２０ａ    箇所
２０    第１蓋壁
３０    第２蓋壁
４０，４０’，４０”    補助線
４１，４１’    蓋部分
４２，４２’    側壁部分
５０    被開部
５１    穴
６０    第２の補助線
【図１】
2014091558.tif 000003
【図２】
2014091558.tif 000004
【図３】
2014091558.tif 000005
【図４】
2014091558.tif 000006
【図５】
2014091558.tif 000007
【図６】
2014091558.tif 000008
【図７】
2014091558.tif 000009